(57)【要約】      （修正有）【課題】内容物の注出使用に従って、内層が、外層から剥離しながら潰れ変形するブロー成形容器において、口筒部における剥離を防止することにより、内容物の安定した注出動作を可能とするブロー成形容器を創出する。【解決手段】底部４から筒状の胴部５を介して上方に延びる肩部６の上端に起立設された口筒部７を有する形態をなし、保形性を備えて外殻を形成する外層と、外層の内面に剥離可能に積層されると共に内容物を収容した状態で自在に潰れ減容変形可能な内層とを有して構成されるブロー成形容器であって、底部４にて内層の一部を保持すると共に、口筒部７に外層の一部を穿孔して外気を取り込む吸気孔８及び外層の一部で内層の一部を挟み込んで保持する第１挟持部９を設けた構成とする。【選択図】図１
2015085967.tif 000002
【特許請求の範囲】
【請求項１】
底部（４）から筒状の胴部（５）を介して上方に延びる肩部（６）の上端に起立設された口筒部（７）を有する形態をなし、保形性を備えて外殻を形成する外層（２）と、該外層（２）の内面に剥離可能に積層されると共に内容物を収容した状態で自在に潰れ減容変形可能な内層（３）とを有して構成されるブロー成形容器であって、
前記底部（４）にて前記内層（３）の一部を保持すると共に、前記口筒部（７）に前記外層（２）の一部を穿孔して外気を取り込む吸気孔（８）及び前記外層（２）の一部で前記内層（３）の一部を挟み込んで保持する第１挟持部（９）を設けたことを特徴とするブロー成形容器。
【請求項２】
第１挟持部（９）を口筒部（７）の周囲の軸対称をなす２ヶ所の位置に形成した請求項１記載のブロー成形容器。
【請求項３】
第１挟持部（９）の高さ位置を吸気孔（８）と同じ位置か、それよりも上方の位置に形成した請求項１又は２に記載のブロー成形容器。
【請求項４】
第１挟持部（９）を、パリソンの該当部分を金型により挟持することにより重合させた一対のリブ片（９ａ）で形成すると共に、該一対のリブ片（９ａ）の一方から他方に食い込む複数の食い込み部（１０）を配設した請求項１乃至３のいずれか一項に記載のブロー成形容器。
【請求項５】
食い込み部（１０）の食い込み方向を、交互に反転させた請求項４記載のブロー成形容器。
【請求項６】
外層（２）と内層（３）とを、全高さ範囲に亘って接着する縦帯状の接着層を軸対称位置に配置した請求項１乃至５のいずれか一項に記載のブロー成形容器。
【請求項７】
外層（２）と内層（３）とを、全高さ範囲に亘って接着する、縦帯状の一つの接着層を設け、胴部（５）の前記接着層と軸対称位置に、前記外層（２）の一部で内層（３）の一部を挟み込んで保持する第３挟持部を設けた請求項１乃至５のいずれか一項に記載のブロー成形容器。
【請求項８】
胴部（５）の軸対称位置に、前記外層（２）の一部で内層（３）の一部を挟み込んで保持する複数の第３挟持部を縦列状にそれぞれ配置した請求項１乃至５のいずれか一項に記載のブロー成形容器。
【発明の詳細な説明】
【技術分野】
【０００１】
本発明は、外殻を形成する外層内に、内容物を収容する潰れ減容変形自在な内層を剥離可能に積層し、内層内に外気を吸引することなく、内容物の注出使用を可能とした、積層剥離容器（デラミボトル）と称されているブロー成形容器に関するものである。
【背景技術】
【０００２】
デラミボトルにあっては、内容物の注出使用に従って、内層が、外層から剥離しながら潰れ変形するデラミ現象が発生するが、内層におけるデラミ現象は、内層の大気圧による、単純な潰れ変形であるので、その潰れ変形形態を予測することはできず、全横幅範囲に亘って略密着状態で潰れ変形する内層部分が増えることにより、内容物の注出が行い難くなる、と云う不都合が発生する。
【０００３】
この不都合を解消する手段として、デラミボトルの全高さ範囲に亘って、外層と内層とを接着結合する、細い縦帯状の一つの接着層を設け、この接着層により内層の一部を外層に接着固定して、内層の潰れ変形形態を規制し、この規制により、内層部分の略密着状態での潰れ変形が起き難くし、内容物の注出が行い難くなるのを防止するようにしたものがある。
【０００４】
このものは、確かに内層部分の略密着状態での潰れ変形を起き難くすることができるのであるが、一つの接着層による内層に対する変形規制が必ずしも充分ではないので、デラミ現象が進行すると、不規則に潰れ変形する箇所が多くなり、このため注出不良が発生すると云う新たな不都合があった。
【０００５】
この不都合を解消する従来技術として、接着層と軸対称位置に、外層の一部で内層の一部を挟み込み状に保持する挟持部を縦突条状に設けるようにした技術がある（例えば特許文献１の図７）。
【先行技術文献】
【特許文献】
【０００６】
【特許文献１】特開２０１２−４６２０６号公報
【０００７】
この従来技術は、挟持部が接着層的に働き、これにより内層の潰れ変形形態を、ほぼ一定に規制することを可能とし、内容物の注出不良の発生をなくすものとなっている。
【発明の開示】
【発明が解決しようとする課題】
【０００８】
しかしながら、上記した従来技術にあっては、挟持部を胴部のみに設けた構成であり、胴部において一定の規制範囲内で生じるデラミ現象である内層の剥離が口筒部にまで達する可能性がある。そして、口筒部の内層が剥離してしまうと、デラミボトルとして使用することができなくなり、注出不良になってしまうと云う問題があった。
【０００９】
特に、デラミボトルは、吸気孔の形成後に初期デラミ処理が行われるが、この初期デラミ処理は吸気孔から所定量の空気を流し込むことにより、あるいは口筒部から容器内の空気をバキュームすることにより、外層から内層の一部又は全部を剥離させ、その後に口筒部から空気を圧入して、内層を元の状態に戻して外層に接着させるようにするものである。したがって、挟持部を胴部のみに設けた構成の場合には、初期デラミ処理の際に内層の剥離が口筒部にまで達することにより、上記同様の問題が起きる可能性があった。
【００１０】
そこで、本発明は、上記した従来技術における問題点を解消すべく創案されたもので、内容物の注出使用に従って、内層が外層から剥離しながら潰れ変形するブロー成形容器において、内容物の注出使用時や初期デラミ処理時に胴部部分の剥離が口筒部に達することを防止することにより、内容物の安定した注出動作を可能とするブロー成形容器を創出することを課題とする。
【課題を解決するための手段】
【００１１】
上記課題を解決するための手段のうち、本発明の主たる構成は、
底部から筒状の胴部を介して上方に延びる肩部の上端に起立設された口筒部を有する形態をなし、保形性を備えて外殻を形成する外層と、外層の内面に剥離可能に積層されると共に内容物を収容した状態で自在に潰れ減容変形可能な内層とを有して構成されるブロー成形容器であって、
底部にて内層の一部を保持すると共に、口筒部に外層の一部を穿孔して外気を取り込む吸気孔及び外層の一部で内層の一部を挟み込んで保持する第１挟持部を設けたことを特徴とする、と云うものである。
【００１２】
上記構成のブロー成形容器では、口筒部に第１挟持部を形成し、外層の一部で内層の一部を挟み込んで保持する構成としたことにより、外層から内層が剥離する工程の際に胴部部分の剥離が口筒部まで達することの防止を達成し得る。
【００１３】
また本発明の他の構成は、請求項１の記載の構成に、第１挟持部を口筒部の周囲の軸対称をなす２ヶ所の位置に形成した、ことを加えたものである。
【００１４】
上記構成にあっては、口筒部における外層による内層の保持をより強固とすることを達成し得る。
【００１５】
また本発明の他の構成は、請求項１又は２に記載の構成に、第１挟持部の高さ位置を吸気孔と同じ位置か、それよりも上方の位置に形成した、ことを加えたものである。
【００１６】
上記構成にあっては、口筒部における剥離防止、特に口筒部の先端部における剥離防止をより確実に達成し得る。
【００１７】
また本発明の他の構成は、上記いずれかに記載の構成に、第１挟持部を、パリソンの該当部分を金型により挟持することにより重合させた一対のリブ片で形成すると共に、一対のリブ片の一方から他方に食い込む複数の食い込み部を配設した、ことを加えたものである。
【００１８】
上記構成にあっては、挟持部を構成している一対のリブ片を構成する外層部分間からの内層部分の抜け出しに対して、食い込み部が極めて強大な抵抗力を発揮するので、挟持部における内層の保持を強固かつ安定的に達成し得る。
【００１９】
また本発明の他の構成は、上記の構成に、食い込み部の食い込み方向を、交互に反転させた、ことを加えたものである。
【００２０】
上記構成にあっては、隣り合った食い込み部の食い込み方向が反対であるので、食い込み部成形時に付近の外層と内層とが、強引に引っ張られて大きく延び変形することになるので、外層と内層との圧着面積が増大すると共に、外層と内層とがより強力に圧着されることになり、これにより全体としての圧着を強化し得る。
【００２１】
また、圧着面の主体部分に対して、食い込み部が交互に反対側に位置するので、複数の食い込み部により、両リブ片が圧着面の主体部分の両側で噛み合う状態となり、これにより両リブ片の結合が構造的に高められる。
【００２２】
また本発明の他の構成は、上記請求項１乃至５のいずれかの一項に記載の構成に、外層と内層とを、全高さ範囲に亘って接着する縦帯状の接着層を軸対称位置に配置した、ことを加えたものである。
【００２３】
上記構成にあっては、軸対称に対向位置された一対の接着層が不動部分として機能するので、内容物の注出に従う内層の潰れ変形は、この一対の接着層に規制された状態で行われる。すなわち、内層は、基本的には、互いに対向する一対の接着層間に仮想される平面に対して、垂直方向から押し潰される形態で潰れ変形することになる。このように、内層の潰れ変形の基本的な方向性を規制することにより、内層の潰れ変形が規則性を持って進行し、これにより内容物の通路が確保し易くなる。
【００２４】
また本発明の他の構成は、上記請求項１乃至５のいずれかの一項に記載の構成に、外層と内層とを、全高さ範囲に亘って接着する、縦帯状の一つの接着層を設け、胴部の接着層と軸対称位置に、外層の一部で内層の一部を挟み込んで保持する第３挟持部を設けた、ことを加えたものである。
【００２５】
上記構成にあっては、軸対称に位置した接着層と挟持部とが不動部分として機能するので、内層は、基本的に互いに対向する接着層と挟持部との間に仮想される平面に対して、垂直方向から押し潰される形態で潰れ変形することになり、上記同様に内層の潰れ変形が規則性を持って進行するため、内容物の通路が確保し易くなる。また、挟持部は、外層の一部で内層の一部を挟み込み状に保持するものであるので、割金型構造である容器成形用金型を利用して、簡単に成形すること達成し得る。
【００２６】
また本発明の他の構成は、上記請求項１乃至５のいずれかの一項に記載の構成に、胴部の軸対称位置に、外層の一部で内層の一部を挟み込んで保持する複数の第３挟持部を縦列状にそれぞれ配置した、ことを加えたものである。
【００２７】
この構成にあっても、上記構成同様に、内層の潰れ変形の基本的な方向性を規制し、内層の潰れ変形を規則性を持って進行させることが可能となるため、内容物の通路が確保し易くなると共に、挟持部を割金型構造である容器成形用金型を利用して、簡単に成形することを達成することができる。
【発明の効果】
【００２８】
本発明は、上記した構成となっているので、以下に示す効果を奏する。
内容物の注出使用に従って内層が外層から剥離しながら潰れ変形するデラミ現象の際に、あるいは初期デラミ処理の際に、胴部部分の剥離が口筒部まで達する虞がないため、デラミボトルとしての安定使用が可能となり、注出不良の発生を抑制することができる。
【００２９】
また挟持部を構成している一対のリブ片に形成した食い込み部が、外層部分間からの内層部分の抜け出しに対して極めて強大な抵抗力を発揮するので、挟持部における内層の保持をより強固かつ安定的に達成し得る。
【図面の簡単な説明】
【００３０】
【図１】本発明のブロー成形容器の実施例としてのデラミボトルを示す正面図である。
【図２】デラミボトルの側面図である。
【図３】デラミボトルの平面図である。
【図４】デラミボトルの主要部分を拡大して示す部分正面図である。
【図５】図１のＶ−Ｖ線における平断面図である。
【図６】挟持部を拡大して示す断面図である。
【発明を実施するための形態】
【００３１】
以下、本発明の実施の形態について図面を参照しつつ説明する。
図１は本発明のブロー成形容器の実施例としてのデラミボトルを示す正面図、図２はデラミボトルの側面図、図３はデラミボトルの平面図、図４はデラミボトルの主要部分を拡大して示す部分正面図、図５は図１のＶ−Ｖ線における平断面図、図６は挟持部を拡大して示す断面図である。
【００３２】
本発明のデラミボトル（以下、適宜「容器１」という）は、ポリエチレン、ポリプロピレン等の合成樹脂材料で、必要とする自己形状保持能力（又は保形性ともいう）を持たせて成形された外層２と、ナイロン、エチレンビニルアルコール共重合体等の外層２に対して相溶性の低い合成樹脂材料で、撓み変形が自在な袋状に成形された内層３とを積層（図２参照）させたブロー成形容器である。
【００３３】
この容器１は、円形の底部４、この底部４の上に連設された円筒形状からなる胴部５を有し、さらにこの胴部５を介して上方に縮径状に延びる肩部６の上端に口筒部７が起立設されている。口筒部７の外周面７Ａの上部には図示しないキャップが螺着される螺条７ａが刻設され、その下の外周面７Ａを構成する外層２部分には、外気を外層２と内層３との間に導入するための吸気孔８が穿設されている。吸気孔８は、外周面７Ａ上の軸対称をなす２ヶ所の位置に形成されている。
【００３４】
また外周面７Ａの、吸気孔８から周方向９０度の位置で、且つ互いに軸対称をなす２ヶ所の位置に一対の陥没部７Ｂ，７Ｂを形成し、この両陥没部７Ｂ内に第１挟持部９をそれぞれ残存した状態で形成している。この第１挟持部９は、パリソンを容器１にブロー成形する際に、このパリソンの口筒部７に相当する該当部分を前後から扁平に押し潰すことにより得られる一対のリブ片９ａを、そのまま重合圧着して突リブ状に成形したものである。
【００３５】
第１挟持部９には、一方のリブ片９ａから他方のリブ片９ａに食い込む食い込み部１０を形成する複数（本実施例では３ケ）の凹陥穴１１が、リブ片９ａの肉厚よりも大きい深さで、その陥没方向を交互に反転させて縦列形成されている。
【００３６】
そして、これら第１挟持部９及び食い込み部１０が剥離の進行を止めるため、容器１の上端である口筒部７の内層３が外層２により強固に保持されている。
【００３７】
底部４には、第１挟持部９と同様の構成からなる第２挟持部１２が、底壁４Ａの中央を横断する状態で形成されている。すなわち、第２挟持部１２は、パリソンを前後から扁平に押し潰して食い切ることにより得られる一対のリブ片１５を、そのまま重合圧着して突条状に成形されている。そして、この一対のリブ片１５には、一方のリブ片１５から他方のリブ片１５に食い込む食い込み部１６を形成する凹陥穴１７が、リブ片１５の肉厚よりも大きい深さで、その陥没方向を交互に反転させて横列形成されている。そして、これら第２挟持部１２及び食い込み部により、容器１の下端である底部４の内層３が外層２により強固に保持されている。
【００３８】
このように、本発明では、容器１の下端側の底部４に第２挟持部１２を有する構成のみならず、上端側の口筒部７においても第１挟持部９有する構成であり、容器１の高さ方向の両端、すなわち下端（底部４）及び上端（口筒部７）の双方において内層３を確実に保持することができる。このため、内容物の注出使用に従ってデラミ現象が発生した際や初期デラミ処理の際における外層２からの内層３の剥離を胴部５部分のみに留め、口筒部７まで達することを防止することができる。よって、容器１をデラミボトルとして使用することが可能であり、注出不良の発生を抑制することができる。
【００３９】
また第１挟持部９の口筒部７における高さ方向の形成位置は、吸気孔８の形成位置と同じか、それよりも上方の位置に形成している。より詳しくは、第１挟持部９に設けた食い込み部１０を形成する最上部の凹陥穴１１の形成位置が、吸気孔８と同じ位置か、本実施例のようにそれよりも上方の位置となるように形成している。これにより、胴部５部分における内層３の剥離が、口筒部７まで達することをより確実に防止することができる。
【００４０】
また、図示しないキャップを口筒部７に装着することにより、外部から第１挟持部９を見えなくすることができるため、商品の販売時等における外観上の美観を維持することが可能である。
【００４１】
以上、実施例に沿って本発明の構成とその作用効果について説明したが、本発明の実施の形態は上記実施例に限定されるものではない。
【００４２】
例えば、上記実施例では、胴部５に外層２と内層３とを保持する構成を有しない容器１を示して説明したが、本発明はこれに限られるものではなく、容器１の軸対称位置に配置した縦帯状の接着層により外層２と内層３とを全高さ範囲に亘って接着する構成であってもよいし、容器１の全高さ範囲に亘って、外層と内層とを接着結合する細い縦帯状の一つの接着層と、この接着層と軸対称位置に外層の一部で内層の一部を挟み込み状に保持する第３挟持部とを備えた容器１であってもよい。あるいはこのような第３挟持部を胴部の軸対称となる両位置にそれぞれ備える容器１であってもよい。
【産業上の利用可能性】
【００４３】
本発明のブロー成形容器は、外殻を形成する外層内に、内容物を収容する潰れ減容変形自在な内層を剥離可能に積層され、内層内に外気を吸引することなく、内容物の注出使用を可能とするデラミボトル分野における用途展開をさらに広い領域で図ることができる。
【符号の説明】
【００４４】
１    ：  ブロー成形容器（容器）
２    ：  外層
３    ：  内層
４    ：  底部
４Ａ  ：  底壁
５    ：  胴部
６    ：  肩部
７    ：  口筒部
７Ａ  ：  外周面
７Ｂ  ：  陥没部
７ａ  ：  螺条
８    ：  吸気孔
９    ：  第１挟持部
９ａ  ：  リブ片
１０  ：  食い込み部
１１  ：  凹陥穴
１２  ：  第２挟持部
１５  ：  リブ片
１６  ：  食い込み部
１７  ：  凹陥穴
【図１】
2015085967.tif 000003
【図２】
2015085967.tif 000004
【図３】
2015085967.tif 000005
【図４】
2015085967.tif 000006
【図５】
2015085967.tif 000007
【図６】
2015085967.tif 000008